(57)【要約】      （修正有）【課題】毛髪を完全に吸引することができる簡便な吸引式バリカンを提供する。【解決手段】バリカン本体１ａの上面側にバリカン刃１ｂに近接させて、バリカン刃１ｂの幅と同程度の幅の案内板５を設け、この案内板５を吸引ホース３の吸引口３ａに、バリカン本体１ａ側の内壁に沿わせて挿入することにより、刈り取られた毛髪を案内板５で確実に吸引ホース３の吸引口３ａの中に案内し、毛髪を完全に吸引することができるようにした。【選択図】図３
0003143691.tif 000002
【実用新案登録請求の範囲】
【請求項１】
バリカン本体の先端側に設けられたバリカン刃の上面側に近接させて、バリカン刃で刈り取られた毛髪を吸引する吸引ホースの吸引口を、バリカン刃の幅と同程度の開口幅で設けた吸引式バリカンにおいて、前記バリカン本体の上面側に前記バリカン刃に近接させて、バリカン刃の幅と同程度の幅の案内板を設け、この案内板を前記吸引ホースの吸引口に、前記バリカン本体側の内壁に沿わせて挿入したことを特徴とする吸引式バリカン。
【請求項２】
前記吸引ホースを前記バリカン本体に着脱可能とした請求項１に記載の吸引式バリカン。
【請求項３】
前記案内板を、前記バリカン本体の上面との間に隙間を設けて、バリカン本体の上面に沿わせて設け、前記吸引ホースの吸引口のバリカン本体側の縁部を、前記案内板とバリカン本体の上面との間の隙間に係止するようにした請求項１または２に記載の吸引式バリカン。
【考案の詳細な説明】
【技術分野】
【０００１】
本考案は、バリカン刃で刈り取られた毛髪を吸引する吸引ホースの吸引口を、バリカン本体の上面側にバリカン刃に近接させて設けた吸引式バリカンに関する。
【背景技術】
【０００２】
電気バリカン等のバリカンには、バリカン刃で刈り取られた毛髪が散乱しないように、バリカン本体の上面側にバリカン刃に近接させて、刈り取られた毛髪を吸引する吸引ホースの吸引口を、バリカン刃の幅と同程度の開口幅で設けたものがある（例えば、特許文献１、２参照）。特許文献１、２に記載されたものでは、面ファスナやつかみバネで吸引ホースの吸引口を着脱可能としている。
【０００３】
なお、吸引式バリカンには、バリカン本体の上面側を覆うケーシングを設け、このケーシングに吸引手段を連結するようにしたものもある（例えば、特許文献３参照）。特許文献３に記載されたものも、ケーシングを着脱可能としている。
【０００４】
【特許文献１】実開昭６１−６７６７０号公報
【特許文献２】実開昭６３−６２０８５号公報
【特許文献３】実開昭６２−１３０５７６号公報
【考案の開示】
【考案が解決しようとする課題】
【０００５】
特許文献１、２に記載されたように、バリカン本体の先端側に設けられたバリカン刃の上面側に近接させて、刈り取られた毛髪を吸引する吸引ホースの吸引口を、バリカン刃の幅と同程度の開口幅で設けた吸引式バリカンは、吸引ホースの着脱が容易で、毛髪の吸引を必要としない通常の散髪にも使用でき、さらに、既製のバリカンも利用できるので簡便であるが、刈り取られた毛髪の一部が、バリカン本体の上面と吸引ホースの吸引口との隙間に入り込んだり、バリカン本体側の吸引口の縁部に引っ掛かったりして、刈り取られた毛髪を完全に吸引することができない問題がある。特に、寝たきりの老人や病人等の散髪をする場合は、刈り取られた毛髪の一部が寝具や着衣の間に入り込み、その除去に非常に手間がかかるので、毛髪を完全に吸引できる簡便な吸引式バリカンが望まれている。
【０００６】
一方、特許文献３に記載されたように、バリカン本体の上面側を覆うケーシングを設け、このケーシングに吸引手段を連結した吸引式バリカンは、毛髪がバリカン本体と吸引口との隙間に入り込んだり、バリカン本体側の吸引口の縁部に引っ掛かったりすることはないが、ケーシングを着脱可能とすると、バリカン本体とケーシングとの隙間から空気が漏れやすく、吸引力が低下する問題がある。この空気漏れを防止するためには、ケーシングの周囲を精度よくバリカン本体と密着させる必要があり、製造コストが高くなる。
【０００７】
そこで、本考案の課題は、毛髪を完全に吸引することができる簡便な吸引式バリカンを提供することである。
【課題を解決するための手段】
【０００８】
上記の課題を解決するために、本考案は、バリカン本体の先端側に設けられたバリカン刃の上面側に近接させて、バリカン刃で刈り取られた毛髪を吸引する吸引ホースの吸引口を、バリカン刃の幅と同程度の開口幅で設けた吸引式バリカンにおいて、前記バリカン本体の上面側に前記バリカン刃に近接させて、バリカン刃の幅と同程度の幅の案内板を設け、この案内板を前記吸引ホースの吸引口に、前記バリカン本体側の吸引口の内壁に沿わせて挿入した構成を採用した。
【０００９】
すなわち、バリカン本体の上面側にバリカン刃に近接させて、バリカン刃の幅と同程度の幅の案内板を設け、この案内板を吸引ホースの吸引口に、バリカン本体側の内壁に沿わせて挿入することにより、刈り取られた毛髪を案内板で確実に吸引ホースの吸引口の中に案内し、毛髪を完全に吸引することができるようにした。
【００１０】
前記吸引ホースを前記バリカン本体に着脱可能とすることにより、毛髪の吸引を必要としない通常の散髪にも使用でき、さらに、既製のバリカンも利用できる簡便なものとすることができる。なお、案内板は接着等により、既製のバリカンに容易に取り付けることができる。案内板はバリカン本体と一体に形成してもよい。
【００１１】
前記案内板を、前記バリカン本体の上面との間に隙間を設けて、バリカン本体の上面に沿わせて設け、前記吸引ホースの吸引口のバリカン本体側の縁部を、前記案内板とバリカン本体の上面との間の隙間に係止することにより、吸引ホースの吸引口を、容易に精度よくバリカン刃に近接させて設けることができる。
【考案の効果】
【００１２】
本考案の吸引式バリカンは、バリカン本体の上面側にバリカン刃に近接させて、バリカン刃の幅と同程度の幅の案内板を設け、この案内板を吸引ホースの吸引口に、バリカン本体側の内壁に沿わせて挿入したので、刈り取られた毛髪を案内板で確実に吸引ホースの吸引口の中に案内して、毛髪を完全に吸引することができる。
【００１３】
前記吸引ホースをバリカン本体に着脱可能とすることにより、毛髪の吸引を必要としない通常の散髪にも使用でき、さらに、既製のバリカンも利用できる簡便なものとすることができる。
【００１４】
前記案内板を、バリカン本体の上面との間に隙間を設けて、バリカン本体の上面に沿わせて設け、吸引ホースの吸引口のバリカン本体側の縁部を、案内板とバリカン本体の上面との間の隙間に係止することにより、吸引ホースの吸引口を、容易に精度よくバリカン刃に近接させて設けることができる。
【考案を実施するための最良の形態】
【００１５】
以下、図面に基づき、本考案の実施形態を説明する。この吸引式バリカンは、図１に示すように、既製の電気バリカン１のバリカン本体１ａの上面側に、先端側のバリカン刃１ｂに近接させて、電気掃除機２に接続された吸引ホース３の吸引口３ａを、バリカン刃１ｂの幅と同程度の開口幅で設けたものであり、吸引ホース３はベルト４でバリカン本体１ａに着脱可能に取り付けられている。
【００１６】
図２および図３に示すように、前記バリカン本体１ａの上面側には、バリカン刃１ｂに近接させて、バリカン刃１ｂの幅と同程度の幅の案内板５が、バリカン本体１ａの上面との間に隙間を設けて、バリカン本体１ａの上面に沿わせるように、接着剤で取り付けられている。
【００１７】
図２に示すように、前記吸引ホース３の吸引口３ａは、後方からバリカン本体１ａの上面と案内板５との隙間に差し込まれ、そのバリカン本体１ａ側の底側縁部が隙間の奥に係止されたのち、吸引ホース３の先端部が、内面に面ファスナ４ａを設けたベルト４でバリカン本体１ａに緊縛される。吸引口３ａの底側縁部を除く両側と天井側の縁部は、バリカン刃１ｂの上方を覆うように、前方へ張り出して形成されている。
【００１８】
図３に示すように、前記案内板５は、吸引ホース３の吸引口３ａに、バリカン本体１ａ側の内壁に沿わせて挿入されている。したがって、バリカン刃１ｂで刈り取られた毛髪は、案内板５でスムーズに吸引口３ａの中に案内され、全ての毛髪が完全に吸引ホース３に吸引される。
【００１９】
上述した実施形態では、案内板をバリカン本体の上面に沿わせて設け、吸引口に案内板が挿入される吸引ホースもバリカン本体の上面に沿わせて取り付けたが、案内板はバリカン本体の上面から後方へ傾斜させて設けることもでき、この場合は、吸引ホースもバリカン本体の上面から後方へ傾斜させて取り付けるとよい。
【００２０】
また、上述した実施形態では、既製のバリカンを用いて、案内板を接着でバリカン本体に取り付けたが、案内板は他の手段でバリカン本体に取り付けることもでき、バリカン本体と一体に形成することもできる。
【００２１】
さらに、上述した実施形態では、吸引ホースをバリカン本体に面ファスナ付きのベルトで緊縛して取り付け、吸引手段としての電気掃除機に接続したが、吸引ホースのバリカン本体への取り付け手段は、実施形態のものに限定されることはなく、吸引ホースの吸引手段も電気掃除機に限定されることはない。
【図面の簡単な説明】
【００２２】
【図１】本考案に係る吸引式バリカンを示す正面図
【図２】図１の要部を拡大して示す分解斜視図
【図３】図１の要部を拡大して示す切欠き正面図
【符号の説明】
【００２３】
１  電気バリカン
１ａ  バリカン本体
１ｂ  バリカン刃
２  電気掃除機
３  吸引ホース
３ａ  吸引口
４  ベルト
４ａ  面ファスナ
５  案内板
【図１】
0003143691.tif 000003
【図２】
0003143691.tif 000004
【図３】
0003143691.tif 000005